(57)【要約】【課題】コンパクト化を図り、且つ三脚用のネジ部を目立たないようにする。【解決手段】デジタルカメラ１０は、カメラ本体２６及びレンズバリア２７からなる。レンズバリア２７は、カメラ本体２６に対してスライド自在に取り付けられている。カメラ本体２６及びレンズバリア２７の底面部には、三脚用雌ネジ２５を構成する本体側雌ネジ部４１及びバリア側雌ネジ部４２がそれぞれ分割して設けられている。レンズバリア２７を不使用位置にしたとき、雌ネジ部４１、４２は位置がずれており、レンズバリア２７を使用位置にしたとき、雌ネジ部４１，４２はネジ溝の位置が一致して三脚の雄ネジを螺合させることが可能となる。【選択図】図３
2008145534.tif 000002
【特許請求の範囲】
【請求項１】
カメラ本体と、このカメラ本体に対して第１の位置、及びこの第１の位置とは異なる第２の位置の間でスライド自在に取り付けられたスライド部材とからなり、内周面に螺旋状のネジ溝を有し、三脚に設けられた雄ネジと螺合する三脚用雌ネジを設けたカメラにおいて、
前記三脚用雌ネジは、前記カメラ本体及び前記スライド部材の底面部にそれぞれ分割して設けた本体側雌ネジ部及びカバー側雌ネジ部とからなり、前記スライド部材が前記第１の位置のときは、前記本体側雌ネジ部及びカバー側雌ネジ部に形成されたネジ溝の螺旋中心がずれており、前記スライド部材が前記第２の位置のときは、本体側雌ネジ部及びカバー側雌ネジ部の螺旋中心が一致して前記雄ネジと螺合可能な状態となることを特徴とするカメラ。
【請求項２】
前記スライド部材は、前記カメラ本体の前面に取り付けられ、撮影レンズを覆う前記第１の位置と、撮影レンズを露呈させる前記第２の位置との間で移動自在である、前記本体側雌ネジ部及びカバー側雌ネジ部は、前記スライド部材が前記カメラ本体に対してスライドするスライド方向と平行な面に沿って分割されており、前記第１の位置にあるときには、本体側雌ネジ部及びカバー側雌ネジ部が不連続になっており、前記第２の位置にあるときには、本体側雌ネジ部及びカバー側雌ネジ部が連続したネジ穴を形成することを特徴とする請求項１記載のカメラ。
【請求項３】
前記スライド部材は、前記第１の位置にあるときに、そのスライド方向に沿って前記カメラ本体と突き当たる突き当て面を有し、前記本体側雌ネジ部及びカバー側雌ネジ部は、前記突き当て面と平行な面に沿って分割されており、前記第１の位置にあるとき、前記本体側及びカバー側雌ネジ部とが互いに近接する位置にあり、前記第２の位置にあるとき、前記本体側及びカバー側雌ネジ部が所定の間隔を保ち螺合可能な状態となることを特徴とする請求項１記載のカメラ。
【請求項４】
カメラ本体と、このカメラ本体の底面部に取り付けられた蓋部材と、前記カメラ本体に対して第１の位置、及びこの第１の位置とは異なる第２の位置の間でスライド自在に取り付けられたスライド部材とからなり、内周面に螺旋状のネジ溝を有し、三脚に設けられた雄ネジと螺合する三脚用雌ネジを設けたカメラにおいて、
前記三脚用雌ネジは、前記蓋部材及び前記スライド部材の底面部にそれぞれ分割して設けた蓋側雌ネジ部及びカバー側雌ネジ部とからなり、前記スライド部材が前記第１の位置のときは、前記蓋側雌ネジ部及びカバー側雌ネジ部に形成されたネジ溝の螺旋中心がずれており、前記スライド部材が前記第２の位置のときは、蓋側雌ネジ部及びカバー側雌ネジ部の螺旋中心が一致して前記雄ネジと螺合可能な状態となることを特徴とするカメラ。
【発明の詳細な説明】
【技術分野】
【０００１】
本発明は、三脚の雄ネジに雌ネジを螺合させて固定されるカメラに関するものである。
【背景技術】
【０００２】
カメラは、その底面部に三脚用ネジ穴を備えていることが一般的であり、三脚に設けられた雄ネジを三脚用ネジ穴に螺合させることでカメラを三脚に固定する。近年、カメラは、小型化、コンパクト化の要求が大きく、上述した三脚用ネジ穴についても、カメラ内部の部品や部材と干渉しないように効率良く配置し、コンパクト化を妨げないようにすることが望まれている。
【０００３】
そこで、特許文献１では、カメラに取り付けられるストラップにネジ穴を形成し、このストラップをカメラと三脚との間に介在するスペーサとして使用することで、カメラに設けられるネジ穴の深さを低減する構成が記載されている。また、特許文献２記載のカメラでは、レンズキャップにネジ穴を有する固定部を一体に設け、撮影時には、このレンズキャップをカメラ本体の底面部に装着して三脚に固定するため、カメラ本体には三脚用のネジ穴を必要としない。さらにまた、特許文献３では、カメラ本体に取り付けられる通常のバッテリ蓋に代えて、ネジ穴を有するバッテリ蓋を取り付けることで、三脚に固定することを可能としている。あるいは、特許文献４では、カメラ本体から突出する三脚座取付部を有し、この三脚用取付部に雌ネジを形成しているため、カメラ本体は、三脚用ネジを考慮するスペースを設けなくてもよい。
【特許文献１】特開平１０−３８４９９号公報
【特許文献２】特開２００２−３２０１２５号公報
【特許文献３】特開２００３−１３１３１４号公報
【特許文献２】特開２００３−２５５４５３号公報
【発明の開示】
【発明が解決しようとする課題】
【０００４】
しかしながら、上記特許文献１〜３のように三脚用のネジ穴を有する部品をカメラ本体とは別に設けると、部品を紛失したりする可能性があり、常に持ち歩かなければならないため、非常に面倒であった。また、上記特許文献４のようにカメラ本体から突出する取付部を有する場合、この三脚用の取付部がカメラの外観上非常に目立ってしまい、特殊な形状となるため、デザインの自由度が限定されてしまう。
【０００５】
さらに、撮影レンズを保護するためのスライドカバーや、電源スイッチなど、カメラ本体に取り付けられる各種部品又は部材を備えており、これらの部品又は部材と干渉しないように雌ネジ穴を設けることが困難であり、特にスライドカバーを有する従来のカメラでは、三脚用のネジ穴及びスライドカバーの影響でカメラの厚みが大きくなることが多い。
【０００６】
本発明は、上記事情を考慮してなされたものであり、部品を効率良く配置してコンパクト化を図ることを可能とし、且つ三脚用のネジ部を外観上目立たないようにすることができるカメラを提供することを目的とする。
【課題を解決するための手段】
【０００７】
本発明のカメラは、カメラ本体と、このカメラ本体に対して第１の位置、及びこの第１の位置とは異なる第２の位置の間でスライド自在に取り付けられたスライド部材とからなり、内周面に螺旋状のネジ溝を有し、三脚に設けられた雄ネジと螺合する三脚用雌ネジを設けたカメラにおいて、前記三脚用雌ネジは、前記カメラ本体及び前記スライド部材の底面部にそれぞれ分割して設けた本体側雌ネジ部及びカバー側雌ネジ部とからなり、前記スライド部材が前記第１の位置のときは、前記本体側雌ネジ部及びカバー側雌ネジ部に形成されたネジ溝の螺旋中心がずれており、前記スライド部材が前記第２の位置のときは、本体側雌ネジ部及びカバー側雌ネジ部の螺旋中心が一致して前記雄ネジと螺合可能な状態となることを特徴とする。
【０００８】
なお、前記スライド部材は、前記カメラ本体の前面に取り付けられ、撮影レンズを覆う前記第１の位置と、撮影レンズを露呈させる前記第２の位置との間で移動自在である、前記本体側雌ネジ部及びカバー側雌ネジ部は、前記スライド部材が前記カメラ本体に対してスライドするスライド方向と平行な面に沿って分割されており、前記第１の位置にあるときには、本体側雌ネジ部及びカバー側雌ネジ部が不連続になっており、前記第２の位置にあるときには、本体側雌ネジ部及びカバー側雌ネジ部が連続したネジ穴を形成することを特徴とする。
【０００９】
また、前記スライド部材は、前記第１の位置にあるときに、そのスライド方向に沿って前記カメラ本体と突き当たる突き当て面を有し、前記本体側雌ネジ部及びカバー側雌ネジ部は、前記突き当て面と平行な面に沿って分割されており、前記第１の位置にあるとき、前記本体側及びカバー側雌ネジ部とが互いに近接する位置にあり、前記第２の位置にあるとき、前記本体側及びカバー側雌ネジ部が所定の間隔を保ち螺合可能な状態となることを特徴とする請求項１記載のカメラ。
【００１０】
さらにまた、カメラ本体と、このカメラ本体の底面部に取り付けられた蓋部材と、前記カメラ本体に対して第１の位置、及びこの第１の位置とは異なる第２の位置の間でスライド自在に取り付けられたスライド部材とからなり、内周面に螺旋状のネジ溝を有し、三脚に設けられた雄ネジと螺合する三脚用雌ネジを設けたカメラにおいて、前記三脚用雌ネジは、前記蓋部材及び前記スライド部材の底面部にそれぞれ分割して設けた蓋側雌ネジ部及びカバー側雌ネジ部とからなり、前記スライド部材が前記第１の位置のときは、前記蓋側雌ネジ部及びカバー側雌ネジ部に形成されたネジ溝の螺旋中心がずれており、前記スライド部材が前記第２の位置のときは、蓋側雌ネジ部及びカバー側雌ネジ部の螺旋中心が一致して前記雄ネジと螺合可能な状態となることを特徴とするカメラ。
【発明の効果】
【００１１】
本発明のカメラは、カメラ本体またはカメラ本体に取り付けられた蓋部材と、カメラ本体に対してスライド自在に取り付けられたスライド部材との間で三脚用の雌ネジ部を分割して設け、スライド部材が第１の位置のときは、雌ネジ部に形成されたネジ溝の螺旋中心がずれており、スライド部材が第２の位置のときは、螺旋中心が一致して三脚の雄ネジが螺合可能となるので、部品を効率良く配置してカメラのコンパクト化を図ることが可能となり、また、三脚用の雌ネジは外観上目たない位置に配されるため、カメラのデザインに影響することがない。
【発明を実施するための最良の形態】
【００１２】
以下、図面を参照して、本発明の第１実施形態を適用したデジタルカメラについて説明する。図１は、本発明の第１実施形態を適用したデジタルカメラと、このデジタルカメラが固定される三脚の構成を示す外観斜視図である。三脚１１は、一般的な構成のものであり、脚部１２ａ〜１２ｃ、基台部１３、雲台１４、及び雄ネジ１５とからなる。脚部１２ａ〜１２ｃは、伸縮脚１６ａ〜１６ｃをそれぞれ備え、長さ調節を行うことができる。
【００１３】
基台部１３は、支柱１７、ヒンジ部１８ａ〜１８ｃを備えており、ヒンジ部１８ａ〜ｃを介して脚部１２ａ〜１２ｃが回転自在に連結されている。支柱１７の上端には、雲台１４が取り付けられている。雲台１４は、断面がコの字状に形成され、その上面から雄ネジ１５の先端が突出している。雄ネジ１５は、ダイヤル２１が一体に設けられており、このダイヤル２１を操作して雄ネジ１５を回転させることによって雄ネジ１５を後述するデジタルカメラ１０の雌ネジ２５と螺合させることができる。
【００１４】
デジタルカメラ１０は、詳しくは図２に示すように、横長のカメラ本体２６と、その前面に取り付けられたレンズバリア２７とを備えている。カメラ本体２６は、各種電子部品の前後を前カバー２８及び後カバー２９で覆い隠して構成されている。前カバー２８の前面であって、その上端右隅付近には、撮影レンズ３１が設けられている。
【００１５】
さらに、前カバー２８の前面には、その中心付近にガイド溝３２、上下端左隅付近及び上端中央付近に保持部３３ａ〜３３ｃが一体に形成されている。ガイド溝３２は、カメラ本体２６の長手方向に沿って配され、レンズバリア２７に形成された嵌合突起部３４と嵌合する。レンズバリア２７は、ガイド溝３２に沿ってスライド移動が可能になるとともに、ガイド溝３２の左右の端部３２ａ，３２ｂに嵌合突起部３４が当接してレンズバリア２７の移動位置を規制する。そして、右側の端部３２ａに嵌合突起部３４が当接したときには、レンズバリア２７が撮影レンズ３１を覆い隠す不使用位置となり、左側の端部３２ｂに嵌合突起部３４が当接したときには、撮影レンズ３１を露呈させる使用位置となる。なお、この構成に限らず、２つの位置の間でレンズバリア２７をスライド自在にガイドする構成であればよく、例えば、レンズバリア２７にガイド溝を設けて、それに嵌合する嵌合突起部をカメラ本体２６に設ける構成としてもよく、また、ガイド溝と嵌合突起部との間にクリック機構を設けてレンズバリアを不使用位置及び使用位置でそれぞれ確実に停止させるようにしてもよい。
【００１６】
保持部３３ａ〜３３ｃは、断面がＬ字状に形成されている。保持部３３ｃは、レンズバリア２７の上端部と常時摺動し、レンズバリア２７が前方に離脱しないように係止する。また、保持部３３ａ，３３ｂは、レンズバリア２７が不使用位置に移動したときに、レンズバリア２７と当接して前方へ離脱しないように係止する。なお、保持部３３ａ〜３３ｃのうち、１つの保持部３３ａには、貫通穴３６が形成され、ストラップなどの付属品を取り付けることができる。また、カメラ本体２６の上面には、レリーズボタン３７、電源スイッチ３８が、背面には、ＬＣＤや各種操作ボタン（図示せず）などが設けられている。
【００１７】
カメラ本体２６及びレンズバリア２７の底面部には、三脚用雌ネジ２５を構成する本体側雌ネジ部４１及びバリア側雌ネジ部４２がそれぞれ設けられている。雌ネジ部４１，４２は、前カバー２８、及びレンズバリア２７の一部を切り欠き、略円筒形の内周面に配された螺旋状のネジ溝を２つに分割した形状に形成されている。これら雌ネジ部４１，４２は、図３に示すように、レンズバリア２７のスライド方向と平行な面、本実施形態では、前カバー２８の前面と，レンズバリア２７の背面に沿って分割されている。
【００１８】
レンズバリア２７が不使用位置にあるとき（図３（Ａ）に示す位置）、雌ネジ部４１，４２に形成されたネジ溝の螺旋中心がずれて不連続な位置になっており、三脚用雌ネジ２５に雄ネジ１５を螺合させることができない。レンズバリア２７を移動させて使用位置にしたときには（図３（Ｂ）に示す位置）、三脚用雌ネジ２５は、雌ネジ部４１，４２のネジ溝が連続して螺旋中心が一致した状態となる。これにより三脚用雌ネジ２５に雄ネジ１５を螺合させることが可能となる。
【００１９】
このように、三脚用雌ネジ２５をカメラ本体２６とレンズバリア２７とに分割して設けることで、デジタルカメラ１０の前後方向の厚みを減少させてコンパクト化を図ることができる。さらに、三脚用雌ネジ２５は、デジタルカメラ１０の外形から突出することなく、内部に設けられているため外観上目立つことは無く、デザイン的にも影響はない。また、レンズバリア２７を移動させるだけで三脚１１の雄ネジ１５と螺合可能な状態となるから、面倒な作業をする必要もない。
【００２０】
上記構成の作用について説明する。デジタルカメラ１０は、非撮影時、レンズバリア２７が不使用位置にあるときには、上述したように雌ネジ部４１，４２の位置がずれているため三脚１１の雄ネジ１５に螺合させることができない。そして、デジタルカメラ１０の撮影時にレンズバリア２７を使用位置に移動させると、上述したように雌ネジ部４１，４２が連続したネジ穴となり、三脚１１の雄ネジ１５を螺合させることが可能となる。デジタルカメラ１０は、三脚１１の雲台１４の上面に載せられ、雄ネジ１５を雌ネジ２５に螺合させることによって三脚１１に固定される。デジタルカメラ１０が三脚が固定されたことで撮影者は安定して撮影を行うことができる。
【００２１】
上記第１の実施形態では、カメラ本体と、このカメラ本体にスライド自在に設けられたレンズバリアとに、三脚用雌ネジを分割して設けた構成を例示しているが、本発明はこれに限るものではなく、以下で説明する本発明の第２実施形態では、カメラ本体に設けた蓋部材と、レンズバリアとの間で分割された三脚用雌ネジ部を設ける構成を例示する。この第２実施形態を適用したデジタルカメラは、図４に示す構成となっている。このデジタルカメラ５０は、カメラ本体５１と、蓋部材としてのバッテリ蓋５２と、レンズバリア５３とからなる。なお、上記第１実施形態と同様の部品及び部材については、同符号を付して説明を省略する。バッテリ蓋５２は、カメラ本体５１の底面から左側側面へ横長矩形状に切り欠かれた切り欠き部５３に合わせて形成されており、この切り欠き部５３にバッテリ蓋５２を取り付けることでデジタルカメラ５０の箱状の外形が形成される。バッテリ蓋５２は、カメラ本体５１に対して着脱自在に取り付けられ、カメラ本体５１からバッテリ蓋５２を取り外したときには内部のバッテリ収納室が露呈し、バッテリの装填及び離脱が可能になる。なお、このバッテリ蓋５２をカメラ本体５１に取り付ける構造については、バッテリ蓋５２に設けた係止爪で、カメラ本体５１の係止溝を係止するなど一般的な構成でよい。また、レンズバリア５３及びカメラ本体５１は、上記第１実施形態と同様にガイド溝３２と嵌合突起部３４との嵌合によって、使用位置及び不使用位置の間でスライド移動自在となっており、保持部３３ａ〜３３ｃによって前方へ離脱しないように係止される。なお、保持部３３ａ〜３３ｃのうち、１つの保持部３３ｂは、バッテリ蓋５２と、その他はカメラ本体５２と一体に設けられている。
【００２２】
バッテリ蓋５２及びレンズバリア５３の底面部には、三脚用雌ネジ５５を構成する本体側雌ネジ部５６及びバリア側雌ネジ部５７がそれぞれ設けられている。雌ネジ部５６，５７は、バッテリ蓋５２及びレンズバリア５３の一部を切り欠き、上記第１実施形態の雌ネジ部４１、４２と同様の形状に形成されている。
【００２３】
レンズバリア５３が不使用位置にあるとき（図５（Ａ）に示す位置）、雌ネジ部５６，５７に形成されたネジ溝の螺旋中心がずれて不連続な位置になっており、三脚用雌ネジ５５に雄ネジ１５を螺合させることができない。レンズバリア５３を移動させて使用位置にしたときには（図５（Ｂ）に示す位置）、三脚用雌ネジ５５は、雌ネジ部５６，５７のネジ溝が連続して螺旋中心が一致した状態となる。これにより三脚用雌ネジ５５に雄ネジ１５を螺合させることが可能となる。
【００２４】
このように、三脚用雌ネジ５５をバッテリ蓋５２とレンズバリア５３とに分割して設けることで、デジタルカメラ５０の前後方向の厚みを減少させてコンパクト化を図ることが可能となり、上記第１実施形態と同様の効果を得ることができる。
【００２５】
上記第１及び第２の実施形態では、カメラ本体に取り付けられたレンズバリアやバッテリ蓋のスライド方向に沿って分割した三脚用雌ネジ部を設けているが、本発明はこれに限るものではなく、スライド方向と直交する面に沿って分割した三脚用雌ネジ部を設ける構成を例示する。この第３実施形態を適用したデジタルカメラは、図６及び図７に示す構成となっている。このデジタルカメラ７０は、カメラ本体７１と、蓋部材且つスライド部材としてのバッテリ蓋７２からなる。なお、上記第１実施形態と同様の部品及び部材については、同符号を付して説明を省略する。バッテリ蓋７２は、カメラ本体７１の底面から左側側面へ横長矩形状に切り欠かれた切り欠き部７３に合わせて形成されており、この切り欠き部７３にバッテリ蓋７２を取り付けることでデジタルカメラ７０の箱状の外形が形成される。
【００２６】
バッテリ蓋７２は、カメラ本体７１に対してスライド自在に取り付けられる。カメラ本体７１には、爪部材７４が設けられており、バッテリ蓋７２に形成された長孔７５を係止する。カメラ本体７１とバッテリ蓋７２との結合部分は、図７に示す構成となっている。なお、図７においては説明の都合上、バッテリ蓋７２を取り外している。カメラ本体７１は、切り欠き部７３の内部に突出するヒンジ部７６を備えており、このヒンジ部７６には、回転軸７７が貫通している。回転軸７７は、ヒンジ部７６の両端側から突出する。
【００２７】
回転軸７７には、詳しくは図８に示すように、捻りコイルバネ７８が取り付けられている。捻りコイルバネ７８は一端７８ａが、ヒンジ部７６に設けられた係止爪７６ａに係止されており、他端７８ｂが後述するバッテリ蓋７２の被押圧突起部７９と当接する。
【００２８】
バッテリ蓋７２は、図７及び図８に示すように、細長い箱状に形成され、その一端面がカメラ本体７１と当接する突き当て面７２ａとなっている。カメラ本体７１及びバッテリ蓋７２の底面部には、三脚用雌ネジ８０を構成する本体側雌ネジ部８１及び蓋雌ネジ部８２がそれぞれ設けられており、これらの雌ネジ部８１，８２は、バッテリ蓋７２が閉じ位置にあるときに突き当て面７２ａと平行な面に沿って分割されている。雌ネジ部８１，８２は、カメラ本体７１及びバッテリ蓋７２の一部を切り欠いて形成されている。この雌ネジ部８１，８２は、内周面に形成された螺旋状のネジ溝の直径よりも、その幅及び深さの寸法が小さくなっている。
【００２９】
バッテリ蓋７１の内面側、突き当て面７２ａと近接する位置には、スライド方向に沿って形成された長孔８３，８４が形成されている。長孔８３，８４は、ヒンジ部７６の回転軸７７の両端部とそれぞれ嵌合する。これにより、バッテリ蓋７２はカメラ本体７１に対して開放位置と閉じ位置との間で回転可能に連結されるとともに、長孔８３，８４に沿ってスライド移動が可能となる。さらに、バッテリ蓋７２は、被押圧突起７９と当接した捻りコイルバネ７８からの付勢を受けて開放位置に向って回転する。
【００３０】
爪部材７４は、カメラ本体７１の内部に設けられた回転軸８６に回転自在に支持されており、回転軸８６には、捻りコイルバネ８７が取り付けられている。捻りコイルバネ８７は、一端８７ａが、爪部材７４に設けられた係止部７４ｃに係止されており、他端８７ｂがカメラ本体７１に設けられた突起部８８と当接する。これにより、爪部材７４は捻りコイルバネ８７からの付勢を受けて、先端部７４ａがバッテリ蓋７２の長孔７５に進入する方向に回転する。爪部材７４の先端部７４ａが長孔７５の内部に進入することによってバッテリ蓋７２は閉じ位置に係止される。また爪部材７４は、上端部７４ｂが前方に湾曲する曲面となっており、この上端部７４ｂを押圧すると、捻りコイルバネ８４の付勢に抗して回転する。これによって、長孔７５は、爪部材７４による係止が解除される。
【００３１】
さらに、バッテリ蓋７２は、長孔７５が爪部材７４に係止されることによって、スライド方向の位置が規制される。すなわち、爪部材７４の先端部７４ａが長孔７５の右側の端部７８ａに当接する位置及び左側の端部に当接する位置の間でバッテリ蓋７２は移動することができる。そして、右側の端部７８ａに先端部７４ａが当接するときは、バッテリ蓋７２の突き当て面７２ａがカメラ本体７１に突き当たってバッテリ蓋７２がカメラ本体７１の外形から突出しない通常位置（第１の位置）となる。一方、左側の端部７８ｂに先端部７４ａが当接するとバッテリ蓋７２がカメラ本体７１の左側面から突出する突出位置（第２の位置）となる。
【００３２】
バッテリ蓋７２が通常位置にあるとき（図６（Ａ）に示す位置）、雌ネジ部８１，８２は互いに近接する位置となり、且つ互いのネジ溝の螺旋中心が不一致であるため、雄ネジを螺合させることができない。そしてバッテリ蓋７２を通常位置から突出位置に移動させると（図６（Ｂ）に示す位置）、雌ネジ部８１，８２は所定の間隔を保ち、雌ネジ部８１，８２は互いのネジ溝の螺旋中心が一致し、一方のネジ溝の延長線上に他方のネジ溝が一致する位置となり、雌ネジ７５に雄ネジ２５が螺合可能となる。
【００３３】
なお、バッテリ蓋７２を閉じ位置から開放位置にするときには、バッテリ蓋７２を突出位置（図９（Ａ）に示す状態）から、爪部材７４を押圧してバッテリ蓋７２の係止を解除する。係止が解除されたバッテリ蓋７２は、捻りコイルバネ７８の付勢によって回転し、閉じ位置から開放位置に移動する（図９（Ｂ）に示す状態）。これによって、内部のバッテリ収納室が露呈し、バッテリ８９の装填、離脱が可能となる。また、バッテリ蓋７２を閉じ位置にするときには、開放位置から閉じ位置へ捻りコイルバネ７８の付勢に抗して回転させた後、爪部材７４を押圧する手を離しながら爪部材７４でバッテリ蓋７２の長孔７５を係止させる。
【００３４】
デジタルカメラ７０を携帯するときや、撮影者が手持ちで撮影するときなどは、バッテリ蓋７２を通常位置にして撮影、再生、設定などの動作を行う。そして、三脚で撮影を行うときには、バッテリ蓋７２を通常位置から突出位置に移動し、雌ネジ７５に雄ネジ１５を螺合させてデジタルカメラ７０を三脚に固定し、安定して撮影を行うことができる。
【００３５】
上述したように、バッテリ蓋７２が通常位置にあるときには、カメラ本体７２の外形から突出しない位置にあり、なお且つ雌ネジ部８１，８２は、螺旋状のネジ溝の直径よりも幅及び深さの寸法が小さく形成され、互いに近接する位置にある。よって、雌ネジ部８１，８２からなる雌ネジ８０は、従来の構成よりも少ないスペースで形成することが可能となり、さらにデジタルカメラ１０はコンパクト化を図ることが可能となり、特に横方向（バッテリ蓋のスライド方向）の寸法を減少させることが可能となる。また、バッテリ蓋７２を閉じ位置にしているときには、雌ネジ部８１，８２は外観上目立つことは無く、デザイン的にも影響はない。また、バッテリ蓋７２を移動させるだけで三脚１１の雄ネジ１５と螺合可能な状態となるから、面倒な作業をする必要もない。
【００３６】
なお、上記第１〜３実施形態では、カメラ本体またはカメラ本体に取り付けられた蓋部材と、スライド部材との間で三脚用の雌ネジ部を分割して設けている構成としているが、雌ネジ部の一方を設ける蓋部材は、バッテリ蓋に限らず、例えばメモリカード装填用のカード蓋でもいいし、雌ネジ部の他方を設けるスライド部材としては、バッテリ蓋やレンズバリアに限らず、他の蓋部材や、電源オン／オフ用のスイッチなどカメラ本体に対してスライド自在に取り付けられたものであればよい。
【００３７】
また、上記第１〜３実施形態では、デジタルカメラに適用する構成を例示しているが、これに限らず、写真カメラや、ビデオカメラなど三脚用ネジを備えるカメラであればどのようなカメラにも適用することができる。
【図面の簡単な説明】
【００３８】
【図１】本発明のカメラと三脚との外観を示す斜視図である。
【図２】本発明の第１実施形態を適用したカメラの構成を示す分解斜視図である。
【図３】レンズバリアを動かしたときのカメラ本体及びレンズバリアの底面部の構成を示す斜視図である。
【図４】本発明の第２実施形態を適用したカメラの構成を示す分解斜視図である。
【図５】レンズバリアを動かしたときのバッテリ蓋及びレンズバリアの底面部の構成を示す斜視図である。
【図６】本発明の第３実施形態を適用したカメラの外観を示す斜視図である。
【図７】本発明の第３実施形態を適用したカメラの分解斜視図である。
【図８】バッテリ蓋周辺の構成を示す斜視図である。
【図９】バッテリ蓋を閉じ位置から開放位置に動かしたときの状態を示す正面図である。
【符号の説明】
【００３９】
１０，５０，７０  デジタルカメラ
２５，５５，７５  三脚用雌ネジ
２６，５１，７１  カメラ本体
２７，５３  レンズバリア
４１，４２，５６，５７，８１，８２  雌ネジ部
５２，７２  バッテリ蓋
【図１】
2008145534.tif 000003
【図２】
2008145534.tif 000004
【図３】
2008145534.tif 000005
【図４】
2008145534.tif 000006
【図５】
2008145534.tif 000007
【図６】
2008145534.tif 000008
【図７】
2008145534.tif 000009
【図８】
2008145534.tif 000010
【図９】
2008145534.tif 000011